(57)【要約】  本発明は、アルミナ三水和物の生成を改善するための方法および組成物を提供する。本発明は、バイヤー法で液体から固体を分離するために用いられるフィルターに対して、１つ以上の架橋多糖類を加えるステップを包含する。この１つ以上の多糖類とは、架橋された多糖類（例えば、架橋されたデキストランまたは架橋されたジヒドロキシプロピルセルロース）であってもよい。この架橋された多糖類は、流速が大きいこと、および得られたケーキ中の残留水分が低いことを含めて、多数の利点をもたらし得る。
2016503374.tif 000002
【特許請求の範囲】
【請求項１】
スラリーを濾過プロセスに入れる前の該スラリーに対する少なくとも１つの架橋された多糖類を含んでいる組成物の添加によって、バイヤー法で生じるスラリーの濾過を強化する方法。
【請求項２】
前記組成物が本質的に、架橋された多糖類からなる、請求項１に記載の方法。
【請求項３】
前記フィルターから得られた固体が、組成物が添加されていないか、または、種類および量が同じ多糖類であって非架橋型であるものを含む組成物が添加されているかのいずれかである同様に濾過されたサンプルよりも残留水分が少ない、請求項１に記載の方法。
【請求項４】
前記液体が、組成物が添加されていないか、または、種類および量が同じ多糖類であって非架橋型であるものを含む組成物が添加されているかのいずれかである同様に濾過されたサンプルよりも、速い濾過プロセスで少なくとも１つのフィルターを通過する、請求項１に記載の方法。
【請求項５】
前記組成物が、赤泥安全濾過に入るスラリーに加えられる、請求項１に記載の方法。
【請求項６】
前記組成物が、アルミナ三水和物生成物濾過に入るスラリーに加えられる、請求項１に記載の方法。
【請求項７】
前記組成物が、アルミナ三水和物シード濾過に入るスラリーに加えられる、請求項１に記載の方法。
【請求項８】
前記組成物が、マッド濾過に入るスラリーに加えられる、請求項１に記載の方法。
【請求項９】
前記方法が、前記濾過された固体を洗浄水、脱水助剤を含む洗浄水、または両者の組み合わせと接触させるステップをさらに包含する、請求項１に記載の方法。
【請求項１０】
前記架橋された多糖類が、ジヒドロキシプロピルセルロース、デキストラン、およびそれらの任意の組み合わせの１つ以上の架橋されたポリマー鎖から生成される、請求項１に記載の方法。
【請求項１１】
前記架橋された多糖類が、エピクロロヒドリン、ジクロログリセロール、ジビニルスルホン、ビスエポキシド、オキシ塩化リン、トリメタリン酸塩、ジカルボン酸無水物、Ｎ，Ｎ’−メチレンビスアクリルアミド、２，４，６−トリクロロ−ｓ−トリアジンおよびそれらの任意の組み合わせからなるリストから選択される１つ以上の架橋剤から生成される、請求項１に記載の方法。
【請求項１２】
前記架橋された多糖類が、多糖類以外のモノマーを含んでいるコポリマーであってもよい、請求項１に記載の方法。
【請求項１３】
前記濾過プロセスが、真空、圧力、重力またはそれらの組み合わせの適用を組み込んでいる、請求項１に記載の方法。
【請求項１４】
前記架橋された多糖類が、固体として添加されても、または液体として添加されてもよい、請求項１に記載の方法。
【請求項１５】
前記スラリーが、浄化ステージの沈降槽からのアンダーフロー、浄化ステージの沈降槽からのオーバーフロー、赤泥洗浄ステージの洗浄機からのアンダーフロー、分類ステージの沈降槽からのアンダーフロー、液体遠心分離機からのアンダーフロー、ならびに、液体遠心分離機からのオーバーフローからなるリストから選択される１つの項目である、請求項１に記載の方法。
【請求項１６】
スクレログルカンも前記スラリーに添加される、請求項１に記載の方法。
【発明の詳細な説明】
【技術分野】
【０００１】
本発明は、ボーキサイト鉱石からのアルミナ三水和物およびアルミナの生成のためのバイヤー法（Bayer process）を改善するための方法に関する。本発明は、バイヤー法内の濾過のプロセスの能力を改善するための、架橋された多糖類、特に架橋されたデキストラン、または架橋されたジヒドロキシプロピルセルロースの使用に関する。
【背景技術】
【０００２】
アルミナ三水和物の生成のための典型的なバイヤー法では、ボーキサイト鉱石を微粉砕し、苛性溶液でスラリーにし、次いで高温および高圧で温浸（digest）する。苛性溶液は、アルミニウムの酸化物を溶解して、アルミン酸ナトリウム水溶液を形成する。ボーキサイト鉱石のこの苛性−不溶性の構成要素は、温浸プロセス内で沈殿された不溶性物質とともに、まとめて一般に赤泥（red mud）と呼ばれる。バイヤー法では、赤泥の固体を次に、溶解されたアルミン酸ナトリウムを含んでいる水溶液相から分離する。この分離は通常は、凝集により沈降タンクを通じて固体のバルクを濃縮するステップ、続いて浄化されたオーバーフロー液を濾過して、その浄化液中に残留する残りの固体を除去するステップを包含する。
【０００３】
沈降プロセスから生じる赤泥固体の濃縮されたアンダーフローを通常は、一連の洗浄ステップに供して、濃縮されたスラリー内に存在する残りの液体を抽出する。洗浄ステップの後、洗浄され濃縮された固体スラリーを次に、濾過に供して、固体の廃棄または再使用の前に過剰の液体を除いてもよい。
【０００４】
上記で示されるとおり、温浸後の沈降プロセス中で除去された不溶性の赤泥固体のバルクを有するアルミン酸ナトリウム水溶液を通常は、濾過ステップに供して、残留する不溶性物質を除去する。この濾過から得られた液体は本質的に、不溶性赤泥残渣は含まない。次いで、これを冷却して、固体のアルミナ三水和物の生成物を、溶液から沈殿させる。次いで、この沈殿した三水和物は、サイズ分画で分離される場合が多く、大きい方の粒子は、生成物としてさらに処理するために収集されるが、小さい方のサイズの粒子は、収集されて、沈殿ステップでシード結晶（seed crystal）として再使用される。ここでも、液体からの固体の三水和物粒子の分離は、沈降、凝集および濾過を含む多数の手段を用いて達成され得る。生成物サイズの粒子およびシード粒子の両方を、いくつかの形態の濾過に供して、液体からの適切な分離を達成してもよく、これを引き続いて、このプロセスの温浸ステップに戻し、再使用する。
【０００５】
米国特許第６，８１４，８７３号、同第６，０３３，５７９号、同第６，０４８，４６３号および米国特許出願公開第２００８／０２５７８２７号少なくとも一部、並びに、他の場所において記載されているとおり、バイヤー法は、絶えず進化しており、このプロセスの種々のステップについて産業上使用される特定の技術は、プラント間で変化するだけでなく、企業秘密として保持される場合も多い。
【０００６】
プラントの設計および操作は、実質的に異なってもよく、追加の濾過ステップがそのプロセス内の種々のエリアにおいて行われてもよく、また実際に行われているが、通常は、バイヤー法のプラントにおける液相から固体の分離を補助または強化するために用いられる多数の重要な濾過ステップがある。このような濾過ステップとしては限定するものではないが、
（ａ）赤泥安全濾過（Red Mud Security filtration）−一次沈降槽オーバーフロースラリーの濾過
（ｂ）アルミナ三水和物生成物濾過−生成物サイズのアルミナ三水和物を含んでいるスラリーの濾過
（ｃ）アルミナ三水和物シード濾過−シードサイズのアルミナ三水和物を含んでいるスラリーの濾過
（ｄ）マッド濾過（Mud Filtration）−洗浄された赤泥スラリーの濾過、が挙げられる。
【０００７】
これらの濾過ステップとしては、限定するものではないが、流入スラリーの濾過を達成することの基礎にある手段として、重力、圧力、真空またはそれらの組み合わせを利用するプロセスを挙げることができる。濾過ステップはまた、濾過された固体の洗浄を包含してもよい。
【先行技術文献】
【特許文献】
【０００８】
【特許文献１】米国特許第６，８１４，８７３号明細書
【特許文献２】米国特許第６，０３３，５７９号明細書
【特許文献３】米国特許第６，０４８，４６３号明細書
【特許文献４】米国特許出願公開第２００８／０２５７８２７号明細書
【特許文献５】米国特許第６，７２６，８４５号明細書
【特許文献６】米国特許第６，７４０，２４９号明細書
【特許文献７】米国特許第３，０８５，８５３号明細書
【特許文献８】米国特許第５，００８，０８９号明細書
【特許文献９】米国特許第５，０４１，２６９号明細書
【特許文献１０】米国特許第５，０９１，１５９号明細書
【特許文献１１】米国特許第５，１０６，５９９号明細書
【特許文献１２】米国特許第５，３４６，６２８号明細書
【特許文献１３】米国特許第５，７１６，５３０号明細書
【特許文献１４】米国特許第５，４７８，４７７号明細書
【特許文献１５】米国特許第５，３８７，４０５号明細書
【特許文献１６】オーストラリア国特許第５３１０６９０号明細書
【特許文献１７】オーストラリア国特許第７３７１９１号明細書
【特許文献１８】国際公開第２０１２／０３１３１６号
【特許文献１９】米国特許出願公開第２０１２／００３４１４２号明細書
【特許文献２０】米国特許第８，５２５，２６６号明細書
【発明の概要】
【発明が解決しようとする課題】
【０００９】
関連する濾過ステップの各々の操作および有効性は、全体としてのバイヤー法プラントの効果的な操業における重要な要因である。結果として、濾過プロセスを強化および改善する方法に関して明確な必要性および有用性が存在する。個々の濾過プロセスは、フィルタを通過するスラリーの速度（処理量（throughput））の改善、および／または濾過の効率（これは、濾過された固体ケーキ中に残留する液体または水分として測定されるような、濾過後の固体物質とともに残っている液体の量とみなしてもよい）の改善によって強化され得る。濾過プロセスのこのような強化は、バイヤー法と関連した濾過ステップの範囲にまたがり望ましい。
【００１０】
本セクションに記載される技術は、そのようなものとして特段指定されない限り、本明細書に言及される任意の特許、刊行物または他の情報が、本発明に関して「先行技術」であるという承認を構成するものではない。さらに、本セクションは、ある調査がなされたということも、または３７ＣＦＲ第１．５６条（ａ）に定義するような他の関連情報が存在しないことも意味すると解釈されるべきではない。
【課題を解決するための手段】
【００１１】
本発明は、濾過ステップに入るスラリーに対して架橋された多糖類を添加することによってバイヤー法内で利用される濾過ステップを強化することに関する。
【００１２】
本発明の詳細な説明は、図面に対して行った特定の参照によって本明細書において以降に記載される。
【図面の簡単な説明】
【００１３】
【図１】先行技術の未架橋の多糖類を上回る、架橋された多糖類を用いる本発明の優れた能力を図示するグラフである。
【図２】先行技術の未架橋の多糖類を上回る、架橋された多糖類を用いる本発明の優れた能力を図示する第二のグラフである。
【図３】本発明で用いられる架橋された多糖類の一例を構成する図である。
【発明を実施するための形態】
【００１４】
本出願の目的に関して、これらの用語の定義は、以下のとおりである。
【００１５】
「本質的に〜からなる」とは、その方法および組成物が、追加のステップ、構成要素、成分などを包含し得ることを意味するが、ただしその追加のステップ、構成要素、および／または成分が特許請求された方法および組成物の基本的なおよび新規な特徴を著しく変更しない場合のみ含まれる。
【００１６】
「フィルターケーキ」とは、フィルター上に保持される固体物質の蓄積を意味し、これは濾過の過程で増大し、かつより多くの微粒子物質が保持されるにつれて厚くなり、層の厚みが増大するにつれて、フィルターケーキの流動抵抗が増大し、もし十分に迅速に取り除かれなければ、フィルターケーキの流動抵抗はかなり高くなり、そのフィルターケーキおよびフィルタープラグを通過できる濾過混合物が少なくなり過ぎるので、最終的に厚いフィルターケーキが濾過を妨害し得る。
【００１７】
「液体」または「バイヤー液（Bayer liquor）」とは、産業上の施設においてバイヤー法を通じて流れた、苛性の、液体媒体を意味する。
【００１８】
「デキストラン」とは、多糖類の骨格単位に連結された側鎖１−３を有するα−Ｄ−１，６グルコース−連結グルカンであるとして特徴付けられる多糖類である。
【００１９】
「ジヒドロキシプロピルセルロース」とは、セルロース骨格に対する１，２−ジヒドロキシプロピルエーテル基の付加によるセルロース誘導体を意味する。
【００２０】
「液体遠心分離機」とは、特に高密度粒子および粗粒子に関して、そして軽量の微粒子について低い、液体抵抗に対するそれらの求心力の比に基づいて液体懸濁物中で粒子を分類、分離または分別するための装置を意味し、それらは、液体が接線方向に供給されている頂部の柱状の部分と、円錐の基部とを有する場合が多く、それらは軸上に２つの出口を有する場合が多く、その底の方は小さく（アンダーフロー用）、頂部の方は大きく（オーバーフロー用）、一般には、アンダーフローは高密度または粗い画分であるが、オーバーフローは軽い画分かまたは微細な画分である。
【００２１】
「濃縮槽」または「沈降槽」とは、スラリーの固体−液体分離を果たすために用いられる容器を意味し、これには凝集剤が添加される場合が多く、この容器は、スラリーを受け入れ、スラリーの固体部分を、スラリーのより液体の部分（オーバーフロー）から離れて下向きに沈降させること（アンダーフロー）が可能になるのに十分な時間スラリーを保持し、このオーバーフローを流し去り、そして、アンダーフローを取り除くように、構築されかつ配置されている。濃縮槽のアンダーフローおよび濃縮槽のオーバーフローは、フィルターを通過して、固体を液体からさらに分離する場合が多い。
【００２２】
本出願のいずれかに述べた上記の定義または説明が、通常用いられるか、辞書にあるか、または本出願中に引用文献で援用される出典に述べられている意味（明確な意味または黙示的な意味）と一致しない場合、本出願、特に特許請求の範囲の用語は、本出願の定義または説明に従って解釈されるものであり、一般的な定義、辞書の定義または参照によって援用された定義には従わないと解釈されることが理解される。上記に照らせば、ある用語がある辞書によって解釈されると理解され得る場合、その用語がKirk-Othmer Encyclopedia of Chemical Technology, 第５版（２００５），（Wiley, John & Sons, Inc.により出版）に定義されるならば、この定義はその用語が特許請求の範囲においてどのように定義されるかを支配するものとする。
【００２３】
本発明の少なくとも１つの実施形態は、濾過ステップに入るスラリーに対する少なくとも１つの架橋された多糖類を含んでいる組成物の添加によって、バイヤー法内で利用された濾過ステップを強化することに関する。
【００２４】
少なくとも１つの実施形態では、液体と、赤泥を含んでいる不溶性固体とを含有しており、温浸されたボーキサイトスラリーから赤泥固体を除去するために用いられた一次沈降槽のオーバーフローに由来しているスラリーの濾過は、フィルターに対するその適用の前にスラリーに対して架橋された多糖類を含んでいる組成物を添加することによって強化される。
【００２５】
少なくとも１つの実施形態では、液体と、分類されており、製品としての使用のために収集され、さらなる処理のために調製物中で濾過される、アルミナ三水和物粒子とを含有しているスラリーの濾過は、フィルターに対するその適用の前に供給スラリーに対して、架橋された多糖類を含んでいる組成物を添加することによって強化される。
【００２６】
少なくとも１つの実施形態では、液体と、沈殿プロセスでシードとして用いられるための微細なアルミナ三水和物粒子とを含んでいるスラリーの濾過は、フィルターに対するその適用の前に供給スラリーに対して、架橋された多糖類を含んでいる組成物を添加することによって強化される。
【００２７】
少なくとも１つの実施形態では、赤泥と、液体と、水とを含んでおり、赤泥洗浄プロセスから生じるスラリーの濾過は、フィルターに対するその適用の前に供給スラリーに対して、架橋された多糖類を含んでいる組成物を添加することによって強化される。
【００２８】
少なくとも１つの実施形態では、バイヤー法のステージは、２回以上の連続濾過ステップを包含し、架橋された多糖類を含んでいる組成物は、その連続濾過ステップのいずれか１つ、いくつかまたは全ての前にフィルター流入液に加えられる。
【００２９】
米国特許第６，７２６，８４５号、同第６，７４０，２４９号、同第３，０８５，８５３号、同第５，００８，０８９号、同第５，０４１，２６９号、同第５，０９１，１５９号、同第５，１０６，５９９号、同第５，３４６，６２８号、同第５，７１６，５３０号、同第５，４７８，４７７号および同第５，３８７，４０５号、ならびにオーストラリア国特許第５３１０６９０号および同第７３７１９１号、ならびに国際公開ＷＯ２０１２／０３１３１６号（Ａ１）の少なくとも一部に記載のとおり、多糖類はバイヤー法で以前に用いられた。しかし、これらの引用文献は、架橋された多糖類の使用は予測も教示もしない。上記で列挙した引用文献のいずれも、三水和物スラリー（シード物質として、または生成物サイズの三水和物固体としてのいずれか）の濾過、または洗浄された赤泥スラリーの濾過に対する多糖類の適用は考慮も教示もしない。米国特許第５，０９１，１５９号は、赤泥の一次沈降からのオーバーフローの濾過を強化するためのデキストランの使用を教示するが、架橋多糖類の使用、およびそれによって誘導される利点の強化は、既存のいずれの先行技術でも考慮も明示もされていない。
【００３０】
少なくとも１つの実施形態では、用いられる架橋された多糖類は、米国特許出願公開第２０１２／００３４１４２号（Ａ１）に開示の物質の組成のうちの少なくとも１つ以上である。
【００３１】
少なくとも１つの実施形態では、濾過の前のスラリーに対する架橋された多糖類の添加は、同じまたはより多くの多糖類単位を有している従来の（非架橋）多糖類の同じスラリーに対する添加よりも、濾過プロセスの改善にさらに効果的である。
【００３２】
少なくとも１つの実施形態では、架橋された多糖類が一次沈降槽オーバーフロースラリーまたは洗浄されたアンダーフロースラリーに添加されるとき、優れた（多糖類を含まないサンプルに比較した場合、または従来の（架橋されていない）多糖類に比較した場合）濾過速度が、達成される。一次沈降槽は、温浸ステージから赤泥スラリーを受容する。そのオーバーフローは、セキュリティーフィルター上に送られ、そのアンダーフローは、マッド洗浄ステージを通過させられ、最終的にはマッドフィルター上に送られる。
【００３３】
少なくとも１つの実施形態では、架橋された多糖類が三水和物生成物スラリーに添加されるとき、優れた濾過速度が達成される。
【００３４】
少なくとも１つの実施形態では、架橋された多糖類が三水和物シードスラリーに添加されるとき、優れた濾過速度が達成される。
【００３５】
少なくとも１つの実施形態では、架橋された多糖類が洗浄された赤泥スラリーに添加されるとき、優れた濾過速度が達成される。
【００３６】
少なくとも１つの実施形態では、添加された架橋された多糖類は、濾過プロセスから生じる固体材料の含水量が減るような、スラリーの優れた脱液を生じる。
【００３７】
少なくとも１つの実施形態では、架橋された多糖類が三水和物生成物スラリーに添加されるとき、ケーキ水分の優れた低下が達成される。
【００３８】
少なくとも１つの実施形態では、架橋された多糖類が三水和物シードスラリーに添加されるとき、ケーキ水分の優れた低下が達成される。
【００３９】
少なくとも１つの実施形態では、架橋された多糖類が洗浄された赤泥スラリーに添加されるとき、ケーキ水分の優れた低下が達成される。
【００４０】
少なくとも１つの実施形態では、濾過されたケーキの水洗浄と組み合わせて、架橋された多糖類が三水和物生成物スラリーに添加されるとき、ケーキ水分の優れた低下が達成される。
【００４１】
少なくとも１つの実施形態では、濾過されたケーキの水洗浄と組み合わせて、架橋された多糖類が三水和物生成物スラリーに添加され、ここでこの水洗浄が脱水助剤を含むか、またはそうでなければ脱水助剤がケーキに加えられるとき、ケーキ水分の優れた低下が達成される。
【００４２】
少なくとも１つの実施形態では、架橋された多糖類は、バイヤー法のフィルターの供給スラリーに添加される。この架橋された多糖類は、固体として添加されてもよいし、または液体型で、溶液、懸濁液もしくは粘性の流体であってもよい。
【００４３】
少なくとも１つの実施形態では、この濾過プロセスは、重力を用いる。
【００４４】
少なくとも１つの実施形態では、この濾過プロセスは、真空吸引によって達成される。
【００４５】
少なくとも１つの実施形態では、この濾過プロセスは、圧力によって達成される。
【００４６】
少なくとも１つの実施形態では、この架橋された多糖類は、スクレログルカンを用いるバイヤー法でのアルミナ三水和物の回収（THE RECOVERY OF ALUMINA TRIHYDRATE DURING THE BAYER PROCESS USING SCLEROGLUCAN）という表題の、共有でかつ少なくとも部分的に共同発明の米国特許第８，５２５，２６６号に開示される任意の組成物および方法と組み合わせるか、またはそれらの組成物および方法に従って添加されてもよい。
【００４７】
少なくとも１つの実施形態では、この架橋された多糖類は、デキストランを含む他の多糖類と組み合わせて添加され得る。
【００４８】
少なくとも１つの実施形態では、この架橋された多糖類は、デキストランおよび／またはジヒドロキシプロピルセルロースである。少なくとも１つの実施形態では、この架橋された多糖類は、０．１〜１００ｐｐｍ、最も好ましくは０．１〜２０ｐｐｍの範囲で添加される。
【００４９】
少なくとも１つの実施形態では、架橋された多糖類は、水酸化ナトリウム、水酸化カリウム、または他のアルカリ金属、または水溶性のアルカリ土類金属水酸化物を含有しているアルカリ溶液に対する多糖類の添加によって生成され、１１〜１４の範囲のｐＨを有している苛性化ポリマー溶液が得られる。次いで、この苛性化多糖類を、適切な二官能性の架橋剤と反応させる。２つ以上のヒドロキシル基と反応できる適切な架橋剤としては限定するものではないが、エピクロロヒドリン、ジクロログリセロール、ジビニルスルホン、ビスエポキシド、オキシ塩化リン、トリメタリン酸塩、ジカルボン酸無水物、Ｎ，Ｎ’−メチレンビスアクリルアミド、２，４，６−トリクロロ−ｓ−トリアジンなどが挙げられる。上記の試薬のうちの１つとの架橋によって、苛性化ポリマー溶液が、高度に粘性の溶液またはペーストになる。最適の望ましい溶液粘度に達した場合、その反応は、適切な酸性溶液による溶液のｐＨ中和を介して終わらせることが可能である。その酸性溶液の例は、酢酸、硫酸、塩酸などである。
【００５０】
少なくとも１つの実施形態では、一般的な架橋試薬／多糖類の質量比は、限定するものではないが、約０〜０．２の間で異なっていてもよい。特に、架橋試薬としてのエピクロロヒドリンについて、その比は、限定するものではないが、０〜０．１、最も好ましくは０．００５〜０．０８の間で異なっていてもよい。適切な架橋は、もとの溶液の粘度を少なくとも１０％上回る溶液の粘度の増大が測定された場合に達成されている。
【００５１】
少なくとも１つの実施形態では、この組成物は、固体−液体の分離が生じる、バイヤー法において１つ以上の位置で上記のフィルター供給スラリーに添加されてもよい。
【実施例】
【００５２】
前述の態様は、以下の実施例を参照することによって、さらによく理解され得るが、以下の実施例は、例示の目的のために示すのであって、本発明の範囲を限定する意図ではない。
【００５３】
（実施例１）
アルミナ三水和物シードの濃縮槽のアンダーフロースラリーのサンプル（１．０Ｌ）を、試験の直前に作動中のバイヤー法の精製装置から収集して、使用するまで温度（８０℃）で保持した。そのスラリーは、約４６０ｇ／Ｌの固体を含んでいた。温かいスラリーを、粗い濾紙（ＭＮ６１５）を備えた適切なサイズのブフナー漏斗に注いだ。処理したスラリーに関しては、その生成物をブフナー漏斗へ注ぐ前にスラリーに添加して、１分間混合した。スラリーに真空をかけて、液体を取り除いた。真空の最初の適用から固体の１０ｍｍの切片（10mm section）が見えるまで時間を測定した。
【００５４】
試験した２つの生成物は、
生成物Ｉ（デキストランの０．０７％水溶液）
生成物ＩＩ（架橋されたデキストランの０．０５％水溶液）
であった。溶液の用量を測定して、適切な量の「活性」物質を送達した。架橋されたデキストランの場合、活性成分とは、架橋の前に溶液中に存在するデキストランの質量として定義され、デキストランおよび架橋されたデキストラン溶液の活性用量が同じであれば、同じ質量のデキストラン単位を含むことを意味する。
【００５５】
図１に例示されるとおり、架橋されたデキストランの添加によって、未処理のスラリーについて観察された濾過速度よりも有意に速い濾過速度がもたらされる。驚くべきことに、架橋されたデキストランで処理されたスラリーはまた、デキストランで処理されたスラリーよりも速い濾過速度を有する。デキストラン処理されたスラリーの濾過速度もまた、より高用量で停滞期（plateau）に達すると思われるが、架橋されたデキストラン処理されたスラリーの濾過速度は、より広範な用量範囲にまたがって持続的に増大する。表１は、実施例１で試験された種々の処理での濾過時間を示す。
【００５６】
【表１】
2016503374.tif 000003
【００５７】
（実施例２）
実施例２で用いられる実験方法は、実施例１の実験方法と同じであったが、デキストランの異なる溶液および架橋されたデキストランを用いた。実施例２で用いられた生成物の組成は、
生成物ＩＩＩ（デキストランの０．１％水溶液）
生成物ＩＶ（架橋されたデキストランの０．１３％水溶液）
であった。
【００５８】
図２でわかるとおり、驚くほど速い濾過速度が、架橋された多糖類で処理されたサンプルで観察されるという、実施例１で観察された傾向が、この実施例でも再度観察される。
【００５９】
表２は、実施例２において試験された種々の処理の濾過時間を示す。
【表２】
2016503374.tif 000004
【００６０】
これらのデータによって、架橋されたデキストランでのスラリーの処理は、未処理のサンプルまたは架橋されていないデキストランで処理されたサンプルで観察された濾過速度のいずれに対してもかなり速い濾過速度を生じることが示される。
【００６１】
（実施例３）
アルミナ三水和物生成物スラリー（２５０ｍｌ）を、試験の直前に作動中のバイヤー法のプラントから収集して、用いるまで回転水浴中に６５℃で保持した。脱イオン水（２００ｍＬ）のサンプルも収集して、必要になるまで６５℃で保持した。濾過プロセスは、ブフナー漏斗（１３０ｍｍ直径）中に温かいスラリー（２５０ｍｌ）を注ぐこと、および４０秒間真空をかけることによって評価した。次いで、真空を切り、次に温かい洗浄水（２００ｍＬ）を脱液した固体の上に加えた。次いで、再度４０秒間の真空をかけて、ケーキを通る洗浄水を取り出し、吸着された液および水をできるだけ取り除いた。次に、濾過および洗浄された固体ケーキのサンプルを採取し、秤量して、乾燥のためにオーブン（１１０℃）に入れた。乾燥された固体を続いてオーブンから取り出して、冷却して、再秤量して、濾過されたケーキから乾燥により失われた、吸着された水の質量を決定した。この水の損失を、濾過された固体の含水量として記録した。
【００６２】
処置サンプルに関して、適切な量の生成物Ｖ（架橋デキストランの０．０６５％水溶液）をスラリーに添加して、濾過の１分前に混合した。脱水助剤を添加したサンプルに関しては、一般的な市販の脂肪酸ベースの脱水助剤（ここではＤＷＡ１と示す）を用いた。脱水助剤処理を採用する場合、１５μＬの用量のＤＷＡ１を脱イオン水に添加して、その水を洗浄に用いる直前に混合した。
【００６３】
種々の処置から得られるフィルターケーキで測定した残留水分を表３に示す。明らかにケーキの水分含量は、架橋されたデキストラン（生成物Ｖ）の単独での適用、または従来の脱水助剤と組み合わせた適用によって実質的に低下される。水分の低下は、より効率的かつ有効な濾過の指標であって、ケーキを通る液体の流れの改善、ならびにそれによる、液体および／または洗浄水からの固体のより良好な分離につながる。脱水助剤と組み合わせて用いられた場合、得られた水分含量は、驚くべきことに、いずれかの生成物単独を用いて観察された水分含量を上回って実質的に改善され、これによって２つの処理の間の相乗効果が示される。
【００６４】
【表３】
2016503374.tif 000005
【００６５】
（実施例４）
赤泥のスラリーは、作動中の精製装置からの赤泥および液体を水と合わせることによって調製した。得られたスラリーは、８０ｇ／Ｌの赤泥固体およびＮａ２ＣＯ３として約１５ｇ／Ｌの濃度の苛性の液体からなった。個々のスラリーサンプル（１Ｌ）は、濾過プロセスの前は回転水浴中に５０℃で保持した。スラリーのサンプルを採取して、濾過媒体として０．４５μｍのＰＡＬＬ濾紙を用いる２Ｌの加圧フィルターに注いだ。次いで、圧力容器を密封して、４０ｐｓｉに加圧した。この容器の底から排出された液体は、この容器中の濾過媒体上に赤泥固体を残す。この濾過速度は、この容器から液体の全容積を排出するのにかかる時間を記録することによって決定された。そのサンプルを、回転水浴から赤泥スラリーを取り出すこと、および適切な量の生成物ＶＩ（架橋されたデキストランの０．０２６％水溶液）を添加すること、および回転水浴中に戻して１分間混合することによって処理した。次いで、架橋されたデキストラン処理サンプルを、未処理のサンプルと同じ方式で試験した。処理した赤泥および未処理の赤泥スラリーの排出時間を、下の表４に示す。
【００６６】
表４に示される結果は、架橋されたデキストランで処理された赤泥スラリーに関する濾過速度の改善を示す。架橋された多糖類で処理されたそれらのサンプルに関する排出時間は有意に短くなった。
【００６７】
【表４】
2016503374.tif 000006
【００６８】
本発明は、多くの異なる形態で具現化され得るが、本発明の特定の好ましい実施形態が本明細書に詳細に記載されている。本開示は、本発明の原理の例証であって、例示される特定の実施形態に対して本発明を限定する意図ではない。本明細書に言及される全ての特許、特許出願、科学論文、および任意の他の引用物は、その全体が参照によって援用される。さらに、本発明は、本明細書に記載されるか、および／または本明細書に援用される種々の実施形態のうちいくつかまたは全ての任意の可能な組み合わせを包含する。さらに、本発明は、任意の可能な組み合わせを包含するが、この組み合わせはまた、本明細書に記載されるか、および／または本明細書に援用される種々の実施形態のうち任意の１つまたはいくつかは特に除外する。
【００６９】
上記の開示は、例示的であるものとし、かつ網羅的ではない。この詳細な説明は、当業者に対して多くの変形および変更を示唆する。これらの全ての変更および変形は、「含んでいる（comprising）」という用語が、「限定するものではないが、包含している（including, but not limited to）」を意味する、特許請求の範囲内に包含されるものとする。当業者は、本明細書に記載される特定の実施形態に対して他の等価物を認識し得、この等価物は特許請求の範囲に包含されるものとする。
【００７０】
本明細書に開示される全ての範囲およびパラメーターは、そこに包含される任意のかつ全ての部分的範囲、および両端の間のあらゆる数を包含することが理解される。例えば、「１〜１０」という述べられた範囲は、１という最小値と１０という最大値との間の（かつ包括的な）任意のかつ全ての部分的範囲、すなわち、１以上という最小値で開始する部分的範囲（例えば、１〜６．１）、かつ１０以下という最大値で終わる部分的範囲（例えば、２．３〜９．４、３〜８、４〜７）の全てを含み、ならびに最終的にはその範囲内に含まれる各々の数、１、２、３、４、５、６、７、８、９、および１０を包含すると解釈されるべきである。本明細書における全てのパーセンテージ、比および割合は、別段特定されない限り重量によるものである。
【００７１】
ここに本発明の好ましい実施形態および別の実施形態の詳細な説明を完結する。当業者は、本明細書に記載の特定の実施形態に対して他の等価物を認識し得、この等価物は、本明細書に添付の特許請求の範囲によって包含されるものとする。
【図３】
2016503374.tif 000007
【図１】
2016503374.tif 000008
【図２】
2016503374.tif 000009
【国際調査報告】
2016503374.tif 000010
2016503374.tif 000011